(57)【特許請求の範囲】
【請求項１】
情報処理を実行する情報処理部と、
顧客に対する情報報知機能を有するユーザインターフェースと、
商品を特定する商品コードの入力を可能とする商品コード入力部と、
前記商品コード入力部による商品コードの入力後の商品を載置するための載置部を備え、当該載置部に載置された商品の重量を計量し、計量した重量値を出力する秤装置と、
前記秤装置が出力する重量値に基づき商品の重量の総計を取得する手段と、
前記商品コード入力部による商品コードの入力に応じて、個々の商品コードに対応させて単価と商品固有の数値である商品固有値とを記憶する商品データファイルを検索し、対応する単価と商品固有値とを取得する商品登録を実行する手段と、
会計ボタンの操作による決済指定入力があると、前記登録した商品の単価に基づく決済処理を実行する手段と、
会計ボタンの操作による決済指定入力があると、前記ユーザインターフェースを介して前記載置部への手荷物の載置を顧客に対して要求する手段と、
重量と販促特典を付与する所定の販促処理の内容である販促内容とを対応付けて記憶する販促データファイルを検索して、前記商品登録された商品の重量の総計に前記手荷物の重量を加えた重量に対応する販促内容を取得する販促内容取得処理を実行する手段と、
を備える商品販売データ処理装置。
【発明の詳細な説明】
【技術分野】
【０００１】
本発明は、商品販売データ処理装置に関する。
【背景技術】
【０００２】
従来、店舗では顧客に対する販売促進（販促）として、単価の合計金額に応じたサービスポイントの付与等が行われている。サービスポイントは金銭的な価値を有するものであり、決済に際して使用することで合計金額からの値引がなされる。
【０００３】
このような販促を実現するため、ＰＯＳ端末等では、カードリーダライタを駆動制御して合計金額に応じたサービスポイントをポイントカードに書き込む処理等が実行される。
【０００４】
【特許文献１】特開平６−１８０７８５号公報
【発明の開示】
【発明が解決しようとする課題】
【０００５】
このような販促は、顧客が店舗選別をする基準となり、店舗にとっては新規顧客の開拓や顧客の囲い込みに直結する重要なものである。そのため、従来の商品合計金額を基準とした販促とは別の新たな販促の実現が望まれている。
【０００６】
特許文献１は、販促内容の基準となり得るものとしての商品固有の要素という観点で行った特許調査により見出された文献である。もっとも特許文献１に記載された技術は、商品固有の要素（形状、重量、色等）に基づいてＰＬＵファイルを検索するようにしたものであり、合計金額を基準としない販促の実現について示唆を与えるものではない。
【０００７】
本発明の目的は、商品単価の合計金額を基準としない販促を実現することである。
【課題を解決するための手段】
【０００８】
本発明の商品販売データ処理装置は、情報処理を実行する情報処理部と、顧客に対する情報報知機能を有するユーザインターフェースと、商品を特定する商品コードの入力を可能とする商品コード入力部と、前記商品コード入力部による商品コードの入力後の商品を載置するための載置部を備え、当該載置部に載置された商品の重量を計量し、計量した重量値を出力する秤装置と、前記秤装置が出力する重量値に基づき商品の重量の総計を取得する手段と、前記商品コード入力部による商品コードの入力に応じて、個々の商品コードに対応させて単価と商品固有の数値である商品固有値とを記憶する商品データファイルを検索し、対応する単価と商品固有値とを取得する商品登録を実行する手段と、会計ボタンの操作による決済指定入力があると、前記登録した商品の単価に基づく決済処理を実行する手段と、会計ボタンの操作による決済指定入力があると、前記ユーザインターフェースを介して前記載置部への手荷物の載置を顧客に対して要求する手段と、重量と販促特典を付与する所定の販促処理の内容である販促内容とを対応付けて記憶する販促データファイルを検索して、前記商品登録された商品の重量の総計に前記手荷物の重量を加えた重量に対応する販促内容を取得する販促内容取得処理を実行する手段と、を備えている。
【発明の効果】
【００１１】
本発明によれば、商品重量等の商品固有値の総計等に応じて販促内容が取得されるため、商品単価の合計金額を基準としない新たな販促を実現することができる。
【発明を実施するための最良の形態】
【００１２】
本発明の実施の形態を図面に基づいて説明する。以下に説明する実施の形態は、セルフチェックアウト端末１０１への適用例である。
【００１３】
１．システム構成
（１）システム構成の概要
図１は、全体のシステム構成を示す模式図である。本実施の形態のシステムは、複数のセルフチェックアウトシステム１１と、複数台のＰＯＳ端末２１と、ストアコントローラ３１とが通信ネットワーク４１を介して接続されて構築されている。セルフチェックアウトシステム１１は、複数台のセルフチェックアウト端末１０１に一台のアテンダント端末５０１が割り当てられて構成されている。セルフチェックアウト端末１０１は、決済端末２０１と秤装置３０１とから構成されている。
【００１４】
図２は、セルフチェックアウトシステム１１での各部の配置状態を示す平面図である。本実施の形態のセルフチェックアウトシステム１１は、四台のセルフチェックアウト端末１０１に対して一台のアテンダント端末５０１が割り当てられている。セルフチェックアウト端末１０１は、一対のセルフチェックアウト端末１０１が顧客通路１２１に沿って平行に並べられ、これらの一対のセルフチェックアウト端末１０１が顧客通路１２１を介して正面側を対面させるように配置されている。顧客通路１２１の突き当りにはアテンダント端末５０１が配置されている。アテンダント端末５０１は、その外観上、本体部５０２と表示部としてのディスプレイ５０３とキーボード５０４と操作部としてのポインティングデバイス５０５とを有するパーソナルコンピュータ形態を有しており、アテンダントテーブル６０１に載置されている。
【００１５】
（２）セルフチェックアウト端末
図３は、セルフチェックアウト端末１０１を示す斜視図である。セルフチェックアウト端末１０１は、決済端末２０１と秤装置３０１とから構成されている。
【００１６】
決済端末２０１は、顧客が購入しようとする商品を入れた籠（図示せず）を載置するための商品籠載置台１０２が右脇から突出したハウジング２０２を有している。
【００１７】
決済端末２０１のハウジング２０２は、床面に設置されるベースハウジング２０２ａと、このベースハウジング２０２ａの上面に載置される小振りな上部ハウジング２０２ｂとによって構成されている。ベースハウジング２０２ａの前面は、下方に向かうほどベースハウジング２０２ａの投影面積を狭めるように傾斜している。これにより、ベースハウジング２０２ａは、下方に向かうほど奥側にオフセットした形状となっている。
【００１８】
上部ハウジング２０２ｂには、各種ユーザインターフェースが設けられている。つまり、上部ハウジング２０２ｂには、右側に商品コード入力部としてのバーコードスキャナ２０３が配置され、左側にプリンタカバー２０４が配置されている。バーコードスキャナ２０３とプリンタカバー２０４との間にはカード挿入口２１２が配置されている。
【００１９】
バーコードスキャナ２０３は、アクリル板等で形成されている読取面２０３ａを有し、この読取面２０３ａの前面に位置する読取空間に所定パターンのレーザ光パターンを照射する縦型スキャナである。バーコードスキャナ２０３は、読取空間に商品が位置付けられてその商品に付されたバーコードが読取面２０３ａに向けられると、バーコードからの反射光を受光素子（図示せず）で受光する。そして、バーコードスキャナ２０３は、受光素子の出力信号に基づくバーコードの受光信号をデコードし、そのバーコードが表現している商品コードをコードデータとして取得し、決済端末２０１の制御部２５３（図５参照）に出力する。
【００２０】
プリンタカバー２０４には、レシート発行口２０８が設けられている。プリンタカバー２０４の奥側にはレシートプリンタ２５１（図５参照）が上部ハウジング２０２ｂに内蔵され、このレシートプリンタ２５１によって印字される図示しないレシートは、レシート発行口２０８から発行されるように構成されている。プリンタカバー２０４は、上部ハウジング２０２ｂに対して開閉自在に取り付けられ、フラップの引っ張り操作で開放される。
【００２１】
カード挿入口２１２の内部には、磁気カードに対するデータの読み書きを可能とする磁気カードリーダライタであるカードリーダライタ２５２（図５参照）が内蔵されている。カード挿入口２１２には、顧客の個人情報、及び、金銭的価値を有するサービスポイントを記憶する磁気カードであるポイントカードが挿入され、挿入されたポイントカードに対して、カードリーダライタ２５２がサービスポイントの書き込み等を行う。より詳細には、磁気カードであるポイントカードは、樹脂基材シートの表面に感熱印字が可能な印字エリアとしての印字記録部を有し、裏面に磁性物質の塗布によって形成される磁気記録部を有している。磁気記録部は、帯状の磁気領域で構成されており、例えば、個人情報記憶領域、サービスポイント記憶領域等に区分けされている。そして、カードリーダライタ２５２が有する磁気ヘッド（図示せず）によって、サービスポイント等の情報が所定ビット数のデジタル信号として磁気記録部に書き込みされる。
【００２２】
上部ハウジング２０２ｂには、液晶表示パネルを有する表示部としてのＬＣＤ２１０が取り付けられている。このＬＣＤ２１０は、その表示面に入力部としてのタッチパネル２１１を有する。
【００２３】
ベースハウジング２０２ａには、硬貨と紙幣との入出金装置２２１（図５参照）が内蔵されている。入出金装置２２１の一部として、ベースハウジング２０２ａの中央上面には硬貨投入口２１３が配置され、その左側には硬貨払出口２１４が配置されている。また、ベースハウジングの前面右上方位置には、紙幣投入口２１５と紙幣払出口２１６とが配置されている。このような入出金装置２２１は、硬貨及び紙幣の取扱いを可能にする機構部とこの機構部を制御する制御部とを有している（いずれも図示せず）。このような機構部の構造及び制御部での処理手順等については、その内容が周知なので、説明を省略する。
【００２４】
さらに、ベースハウジング２０２ａの背面からは、セルフチェックアウト端末１０１の現在の状態を表示する警報装置としての表示ポール２１７が立設されている。この表示ポール２１７は、先端部に青色と赤色とに選択的に発光する発光部２１８を有する。
【００２５】
秤装置３０１は、秤ハウジング３０２の上部に秤皿３０３が設けられ、この秤皿３０３に袋保持具３０４が取り付けられて構成されている。秤皿３０３は、その上面に載置台３０３ａを有する。袋保持具３０４は載置台３０３ａに取り付けられている。したがって、袋保持具３０４からすると、秤皿３０３は台座を構成する。つまり、載置台３０３ａの後方中央部にはポール形状のアーム支持部３０５が立設され、このアーム支持部３０５の上端には品物を載置するための一時置き台３０６が固定されている。一時置き台３０６は、上面が平坦面となっており、決済端末２０１のバーコードスキャナ２０３でバーコードを読み取った後の商品を一時的に置く用途で用いられる台である。載置台３０３ａ及び一時置き台３０６は、共に、商品コードが入力された商品を載置するための載置部としての役割を担っている。
【００２６】
このような一時置き台３０６の下面には、一対の保持アーム３０７とフック３０８とが取り付けられている。つまり、一時置き台３０６の下面両端位置には、アーム取付具３０９（図４参照）が固定されている。固定は、例えばネジ止め、接着止め等、各種の固定手法によってなされている。そして、それらのアーム取付具３０９のそれぞれには、保持アーム３０７が埋設されている。また、一時置き台３０６の下面中央位置には、フック取付具３１０（図４参照）が固定されている。固定は、例えばネジ止め、接着止め等、各種の固定手法によってなされている。そして、フック取付具３１０には、フック３０８が埋設されている。
【００２７】
図４は、保持アーム３０７にレジ袋４０１が保持されている状態を示す斜視図である。保持アーム３０７は、例えばスーパーマーケット等で顧客に提供するビニール袋等の収納袋としてのレジ袋４０１、つまり、開口部４０２とこの開口部４０２から突出する一対の把手４０３とを有してこれらの把手４０３が両側に位置付けられるように折り畳まれたレジ袋４０１を保持するために、一対の把手４０３を串刺し状態で保持する。このような保持状態を実現するために、把手４０３にはスリット４０４が形成されている。また、レジ袋４０１には、一対の把手４０３の間に位置させてミシン目４０５で脱落可能な一対の耳部４０６が形成されており、これらの耳部４０６には引掛け穴４０７が形成されている。フック３０８は、引掛け穴４０７を挿通し、これによってレジ袋４０１を保持アーム３０７と共に保持する。
【００２８】
図５は、決済端末２０１の電気的なハードウェア構成を示すブロック図である。決済端末２０１は、内部に情報処理部としての制御部２５３を有する。制御部２５３は、例えば動作シーケンスが書き込まれた半導体チップ構成のものであっても、ＲＡＭ２５４等に動作プログラムを記憶させて動作するマイクロコンピュータ構成のものであっても良い。ここでは、マイクロコンピュータ構成の制御部２５３を紹介する。
【００２９】
制御部２５３の中核をなすのはＣＰＵ２５５である。ＣＰＵ２５５には、固定データを固定的に記憶するＲＯＭ２５６と、可変データを書き換え自在に記憶するＲＡＭ２５４と、ＬＣＤ２１０に表示する表示画像を生成するＶＲＡＭ２５７と、ＨＤＤ２５８とがシステムバス２５９を介して接続されている。一例として、ＨＤＤ２５８には、動作プログラム、各種表示フレーム、ＰＬＵファイルＰＦ（図６（ａ）参照）、部門ファイル、重量データファイルＷＤＦ（図６（ｂ）参照）、画像ファイル、売上ファイル、販促データファイル等の各種ファイル等（ＰＬＵファイルＰＦ、重量データファイルＷＤＦ、販促データファイル以外は全て図示せず）が記憶保存されており、これらの動作プログラム、各種表示フレーム、各種ファイル及び各種規則情報等は、その全部又は一部が決済端末２０１の起動時にＲＡＭ２５４に移されて使用される。そして、それらのＰＬＵファイルＰＦ、重量データファイルＷＤＦ、部門ファイル、画像ファイル、売上ファイル等の各種ファイル等は、商品データファイルを構成する。販促データファイルについては、図１４、図１８、図２１、図２３、及び、図２６に基づいて説明する。
【００３０】
商品データファイルを構成するＰＬＵファイルＰＦは、各商品を特定する商品コードに対応させて、単価の他に、商品表示、割引商品の別、割引金額、Ｍ＆Ｍ（ミックス・アンド・マッチ）情報等を書き換え自在に記憶する。商品表示は、商品コードによって特定される商品の商品名称のテキストデータと、その商品の画像データとを含む。
【００３１】
商品データファイルを構成する部門ファイルは、ＰＬＵファイルＰＦに記憶されない各商品についての部門コードに対応させて、その単価、商品表示、割引商品の別、割引金額、Ｍ＆Ｍ（ミックス・アンド・マッチ）情報等を書き換え自在に記憶する。商品表示は、部門コードによって特定される商品の商品名称のテキストデータと、その商品の画像データとを含む。
【００３２】
図６（ａ）は、ＰＬＵファイルＰＦの一例を示す模式図である。ＰＬＵファイルＰＦは、商品コードに対応させて、商品表示と単価と画像データとを記憶している。商品表示は、対応する商品の商品名称に相当するテキストデータである。画像データは、対応する商品の画像データである。このようなＰＬＵファイルＰＦは、別の一例として、部門ファイルを含んでいてもよい。
【００３３】
図６（ｂ）は、重量データファイルＷＤＦの一例を示す模式図である。重量データファイルＷＤＦは、商品コードに対応させて、設定重量（ｇ）、重量チェック実行有無定義、重量物フラグ、商品載置場所定義（袋詰めスキップ）、許容値タイプ定義、上限許容値、下限許容値、及び重量更新フラグを記憶している。このような重量データファイルＷＤＦは、別の一例として、ＰＬＵファイルＰＦ、部門ファイルに含ませても良い。
【００３４】
設定重量（ｇ）には、商品コードで特定される商品の重量の設定値が記憶されている。なお、商品コードで特定される商品が次に述べるように重量チェックしない商品である場合にも、設定重量（ｇ）には重量の設定値が記憶されている。
【００３５】
重量チェック実行有無定義は、前述したように、重量チェック実行の別を各商品コードに対応付けて記憶する定義情報である。セルフチェックアウト端末１０１の制御部２５３は、重量チェック実行有無定義中、「０」は重量チェックしない、「１」は重量チェックすると解釈する。重量チェックをしない商品は、一例として、軽すぎて秤装置３０１による計量に馴染まない商品、あるいは、重すぎて秤装置３０１の載置台３０３ａまで移動させにくい商品である。このような重量チェック実行有無定義は、別の一例として、ＰＬＵファイルＰＦに含ませても良い。
【００３６】
重量物フラグは、商品コードで特定される商品が規定の重量を超過した重量物であるか否かを記憶する。つまり、重量物フラグ中、「０」は非重量物、「１」は重量物と解釈する。ここで、重量物フラグに「１」が記憶されているためには（重量物であるためには）、少なくとも、その商品について重量チェックをしないと定義付けられていること、換言すれば、対応する重量チェック実行有無定義に「０」が記憶されていることが必要である。つまり、重すぎて秤装置３０１の載置台３０３ａまで移動させにくい商品について、重量フラグに「１」が記憶されていることになる。
【００３７】
商品載置場所定義（袋詰めスキップ）は、バーコードスキャナ２０３によってバーコードが読み取られた商品の載置場所として、載置台３０３ａ（重量スキップしない）と一時置き台３０６（重量スキップする（軽量））と床面（重量スキップする（重量））とのいずれにすべきかを個々の商品毎に定義する。セルフチェックアウト端末１０１の制御部２５３は、商品載置場所定義中、「０」は載置台３０３ａ（重量スキップしない）、「１」は一時置き台３０６（重量スキップする（軽量））、「２」は床面（重量スキップする（重量））と解釈する。別の一例として、商品載置場所定義をＰＬＵファイルＰＦに含ませることも可能である。更に別の一例として、商品の特性、例えば、割れ易い、壊れ易い、型崩れし易い、重い等の特性情報をＰＬＵファイルＰＦ等に記憶させておき、一例として、割れ易い、壊れ易い、型崩れし易いという特性を持つ商品については一時置き台３０６を載置場所として定義し、重いという特性を持つ商品については床面を載置場所として定義する。更に別の一例としては、重量データファイルＷＤＦに記憶されている重量が規定重量より重い場合のバーコード読み取り後の商品の載置場所として、床面を定義する。
【００３８】
許容値タイプ定義は、設定重量（ｇ）に対する許容幅を割合とするか上限値及び下限値とするかを決定するための情報である。つまり、重量チェック処理に際しては、秤装置３０１による現実の計量重量と設定重量（ｇ）に記憶されている重量との比較処理を実行することになるが、この際、設定重量（ｇ）に対する許容幅を設定する。この許容幅は、許容値タイプ定義に記憶されている定義に従い、設定重量（ｇ）に記憶されている重量値に対する割合で求められ、あるいは数値設定されている上限値及び下限値で求められる。
【００３９】
上限許容値及び下限許容値は、設定重量（ｇ）に対する許容幅を決定するための数値情報を記憶する。許容値タイプ定義が、設定重量（ｇ）に記憶されている重量値に対する割合を許容幅とする場合には、上限許容値及び下限許容値に記憶される数値は％の数値となる。また、許容値タイプ定義が、設定重量（ｇ）に記憶されている重量値に対する上限値及び下限値は具体的な数値となり、この場合、上限許容値及び下限許容値に記憶される数値は具体的な数値そのものとなる。
【００４０】
そして、重量更新フラグは、重量登録処理の実行の有無を記憶する。セルフチェックアウト端末１０１の制御部２５３は、重量更新フラグ中、「０」は未更新、「１」は自動更新済み、「２」は手動更新済み、「３」は個別更新済みと解釈する。未更新の場合にはデフォルト値となる。自動更新は、重量登録処理の実行によって行なわれる。手動更新は、手入力によって行なわれる。個別更新は、自動更新後に手入力で修正されることによって行なわれる。
【００４１】
図５に示す決済端末２０１の電気的なハードウェア構成を示すブロック図の説明に戻る。制御部２５３には、バーコードスキャナ２０３、ＬＣＤ２１０、タッチパネル２１１、カードリーダライタ２５２、レシートプリンタ２５１、警報装置を構成する発光部２１８、入出金装置２２１との間でのデータ通信を媒介するインターフェース２６０がシステムバス２５９を介して接続され、制御部２５３による制御を受ける。制御部２５３は、それらの各部を制御し、検索処理と重量チェック処理と商品情報登録処理と販促内容取得処理と決済処理とを含む商品販売データ処理を実行する。
【００４２】
検索処理は、バーコードスキャナ２０３によって商品に付されたバーコードが読み取られた場合、このバーコードによって特定される商品コードを認識し、商品データファイルを構成する各種ファイルを検索してその商品コードに対応する単価、重量、商品表示等を取得する。
【００４３】
重量チェック処理は、バーコードの読み取り後に秤装置３０１によって計量されたバーコードが読み取られた商品の重量が、検索処理によって取得した重量と同一性を有しているかどうかを判定する処理である。同一性を有しているかどうかは、秤装置３０１による計量重量に基づいて得られる商品の重量が検索処理によって取得した重量の許容幅（例えば上限値と下限値との間）、つまり重量範囲に収まっているかどうかを判定することによってなされる。
【００４４】
商品情報登録処理は、バーコードスキャナ２０３によって商品に付されたバーコードが読み取られた場合、このバーコードによって特定される商品コードと特定された商品コードに基づいて検索処理によって検索された単価とを含む取引情報をＲＡＭ２５４に一時登録する処理である。
【００４５】
販促内容取得処理は、バーコードスキャナ２０３によってバーコードが読み取られた商品の固有値（重量、体積、又は、全長）が一定の条件を満たす場合に、所定の販促処理の内容である販促内容を取得する処理である。販促内容取得処理の詳細については後述する。
【００４６】
決済処理は、検索処理によって取得した単価に基づいて決済金額を算出し、その決済金額の決済を実行する処理である。決済金額は、タッチパネル２１１での締め操作に応じて必要な消費税計算等を含む売上合計金額を計算することによって算出され、ＲＡＭ２５４等に仮登録するか、あるいは売上ファイルに登録する。決済処理では、算出した決済金額について、現金を利用した決済を可能にする。現金の扱いは、ベースハウジング２０２ａに設けられた入出金装置２２１で実行される。また、決済端末２０１に、非接触ＩＣカードリーダライタを設けて、電子マネーカードを利用した決済を可能にしてもよい。そして、検索処理では販促内容取得処理で取得された販促処理の実行もなされる。
【００４７】
本実施の形態では、商品販売データ処理という概念を、検索処理、重量チェック処理、商品情報登録処理、販促内容取得処理、及び、決済処理等を含む広義の概念として用いている。そこで、このような広義の意味での商品販売データ処理を支援するために、決済端末２０１の制御部２５３は、ＬＣＤ２１０に操作方法を表示し、顧客の便宜を図る。
【００４８】
制御部２５３にはシステムバス２５９を介して通信インターフェース２６１も接続されている。通信インターフェース２６１は、通信ネットワーク４１に接続され、アテンダント端末５０１及びストアコントローラ３１とセルフチェックアウト端末１０１との間のデータ通信を実現させる。
【００４９】
図７は、秤装置３０１の電気的なハードウェア構成を示す模式図である。秤装置３０１は、ロードセルユニット３５１を有する。ロードセルユニット３５１は、構造及び形状を図示しないロードセルの一端側をベース３５２に固定し、他端側に荷重受け部３５３を有する。荷重受け部３５３には秤フレーム３５４が固定されている。秤フレーム３５４は、平面から見てＸ字形状をしており、四隅に秤皿３０３を載置する。ロードセルユニット３５１の出力信号は、アンプ３５５で増幅され、アナログデジタル変換器（ＡＤ／Ｃ）３５６でデジタル信号に変換され、演算部３５７で解析される。演算部３５７では、ロードセルユニット３５１の出力信号に基づく重量解析がなされる。演算部３５７は、例えば動作シーケンスが書き込まれた半導体チップ構成のものであっても、ＲＡＭ等に動作プログラムを記憶させて動作するマイクロコンピュータ構成のものであっても良い。演算部３５７は、解析結果である重量データを送信部３５８に送信し、送信部３５８を介して決済端末２０１に出力する。このような決済端末２０１への重量データの送信は、一例として、所定周期毎に定期的に実行され、別の一例として、ユーザによってセルフチェックアウト処理のスタートが指定された後に所定周期毎に定期的に実行される。この場合の周期は、例えば数μｓｅｃ〜数百μｓｅｃというような短い周期であることが望ましい。
【００５０】
このような構成において、セルフチェックアウト端末１０１は、セルフチェックアウトを可能にする。この際、決済端末２０１の制御部２５３及び秤装置３０１の演算部３５７は、各種演算処理や各部の駆動制御処理等を実行し、セルフチェックアウト処理を支援する。つまり、決済端末２０１では、そのＬＣＤ２１０に各種のユーザ支援画面を表示し、前述した検索処理、重量チェック処理及び商品販売データ処理を実行する。秤装置３０１は、決済端末２０１での重量チェック処理を支援するように、計量した重量の値を送信部３５８から決済端末２０１に送信出力する。以下、処理を示すフローチャート、各種の画面例及び画面遷移例等を用いて、セルフチェックアウト処理の流れを説明する。
【００５１】
２．セルフチェックアウト処理
（１）セルフチェックアウト処理の基本的ルーチン
図８は、セルフチェックアウト処理を示すフローチャートである。セルフチェックアウト端末１０１の制御部２５３は、商品コードの入力有無判定に待機している（ステップＳ１１）。商品コードの入力は、バーコードスキャナ２０３によるバーコードの読み取りの他、ＬＣＤ２１０の表示に従ったタッチパネル２１１での入力操作によって行なわれる。
【００５２】
セルフチェックアウト端末１０１の制御部２５３は、商品コードの入力を判定すると（ステップＳ１１のＹ）、検索処理を実行する（ステップＳ１２）。その結果、前述したとおり、入力された商品コードに対応する単価、重量及び商品表示が取得される。
【００５３】
セルフチェックアウト端末１０１の制御部２５３は、検索処理に続いて、重量チェック処理を実行する（ステップＳ１３）。
【００５４】
セルフチェックアウト端末１０１の制御部２５３は、重量チェック処理に続いて、商品情報登録処理を実行する（ステップＳ１４）。つまり、重量チェック処理を通過した場合には、商品コード及びその単価等の取引情報をＲＡＭ２５４に一時登録する。
【００５５】
セルフチェックアウト端末１０１の制御部２５３は、商品情報登録処理に続いて、決済指定の有無を判定する（ステップＳ１５）。決済指定は、ＬＣＤ２１０での表示に従ったタッチパネル２１１での入力操作によって実行される。そして、セルフチェックアウト端末１０１の制御部２５３は、決済指定ありの判定をすると（ステップＳ１５のＹ）、前述した販促内容取得処理を実行し（ステップＳ１６）、続いて、決済処理を実行する（ステップＳ１７）。
【００５６】
（２）セルフチェックアウト処理時の画面遷移
図９は、セルフチェックアウト処理実行時の画面遷移例を示す模式図である。顧客は、購入しようとする商品を籠に入れてセルフチェックアウト端末１０１に持ち寄り、商品を籠ごとセルフチェックアウト端末１０１の商品籠載置台１０２に載せる。
【００５７】
この際、決済端末２０１の制御部２５３は、図９に示すような初期ガイダンス画面Ａ（左から第１列第１行目）を生成し、ＬＣＤ２１０に表示させる。初期ガイダンス画面Ａでは、顧客が持ち運んだ商品の取り扱い方法を案内する。案内される取り扱い方法は、二種類である。一方の取り扱い方法はバーコードスキャナ２０３を用いた商品コード入力であり、もう一つは、タッチパネル２１１からの入力指定である。前者のガイダンスとしては、「バーコードをガラス面にタッチしてください」という文字がその状態を示す絵柄と共に案内される。後者のガイダンスとしては、「バーコードのない商品は次の画面で登録します」という文字が次の画面を示す絵柄と共に案内される。
【００５８】
この際、制御部２５３は、セルフチェックアウト処理をスタートさせる場合、自機が待機中か商品スキャニング中かの稼働状況を示す稼働状況情報として、待機中であることを示す情報を、自機が割り当てられているアテンダント端末５０１に向けて出力する。
【００５９】
初期ガイダンス画面Ａでは、レジ袋を使用するかマイバスケットを使用するかの選択を、二つの選択ボタンＡ１とＡ２とによって可能とする。マイバスケットというのは、顧客自らが所持する買物籠を意味する。選択ボタンＡ１がタッチパネル２１１によってタッチ指定された場合、レジ袋４０１でのセルフチェックアウト処理をスタートさせる。選択ボタンＡ２がタッチパネル２１１によってタッチ指定された場合、マイバスケットでのセルフチェックアウト処理をスタートさせる。
【００６０】
この際、制御部２５３は、セルフチェックアウト処理をスタートさせる場合、自機が待機中か商品スキャニング中かの稼働状況を示す稼働状況情報として、稼動中であることを示す情報を、自機が割り当てられているアテンダント端末５０１に向けて出力する。
【００６１】
図９は、選択ボタンＡ２がタッチパネル２１１によってタッチ指定され、マイバスケットでのセルフチェックアウト処理をスタートさせる例を示している（図９の左から第１列第２行目）。レジ袋４０１での処理とマイバスケットでの処理との相違は、秤装置３０１での０点設定である。マイバスケットでの処理を実行する場合、制御部２５３は、秤装置３０１の載置台３０３ａに店舗側の籠を載せ、その中にマイバスケットを広げるべきことを示す画像を生成し、ＬＣＤ２１０に表示して顧客に案内する。そして、マイバスケットが選択された後の初期ガイダンス画面Ａ（図９の左から第１列第２行目）には、セット完了ボタンＡ３と戻るボタンＡ４とが表示される。制御部２５３は、セット完了ボタンＡ３がタッチパネル２１１によってタッチ指定された場合、０点設定を実行すべきことを秤装置３０１に伝達する。戻るボタンＡ４がタッチパネル２１１によってタッチ指定された場合には、最初の初期ガイダンス画面Ａ（図９の左から第１列第１行目）に戻る。
【００６２】
初期ガイダンス画面Ａ（図９の左から第１列第１行及び第２行目）には、その左下に中止ボタンＹと呼出ボタンＺとが表示される。中止ボタンＹは、処理の中止を指示するためのボタンであり、呼出ボタンＺは、案内係（アテンダント）の店員を呼び出すためのボタンである。制御部２５３は、それらの中止ボタンＹ及び呼出ボタンＺを、セルフチェックアウト処理の一連の流れに従い遷移する各画面中、必要に応じて生成し、出現させる。
【００６３】
最初の初期ガイダンス画面Ａ（図９の左から第１列第１行目）において選択ボタンＡ１又はＡ２がタッチパネル２１１によって選択指定された後の初期ガイダンス画面Ａ（例えば、図９の左から第１列第２行目）において、セット完了ボタンＡ３がタッチパネル２１１によってタッチ指定されると、制御部２５３は、基本画面Ｂを生成し、ＬＣＤ２１０に表示する（図９の左から第２列第１行目）。基本画面Ｂは、ガイダンス表示領域Ｂ１とユーザ領域Ｂ２とから構成されている。ガイダンス表示領域Ｂ１は上方位置、ユーザ領域Ｂ２はその下方位置にそれぞれ配列されている。ガイダンス表示領域Ｂ１は、セルフチェックアウトを進めるために必要な各種のガイダンスを表示する。ユーザ領域Ｂ２は、セルフチェックアウトを進めるために必要な各種の操作ボタン及び取引情報を表示する。
【００６４】
商品に付されたバーコードの読み取りに待機する最初の基本画面Ｂ（図９の左から第２列第１行目）におけるガイダンス表示領域Ｂ１には、「商品のバーコードをガラス面にタッチしてください」という表示がその状態を示す絵柄と共に表示される。
【００６５】
商品に付されたバーコードの読み取りに待機する最初の基本画面Ｂ（図９の左から第２列第１行目）におけるユーザ領域Ｂ２には、各種の操作ボタンとして、バーコードのない商品を指定するための商品指定ボタンＢ２２が表示され、取引情報として、購入する商品の名称、点数、単価と、購入する商品の合計金額とを含む取引情報Ｂ２１が表示される。図９に示す最初の基本画面Ｂ（左から第２列第１行目）の画面例では、今までに、ジュースが１点、牛乳が１点、コロッケが３点、それぞれ商品登録された状態を表わしている。購入点数が増えて表示しきれない場合には、取引情報Ｂ２１中のスクロールボタンを
タッチパネル２１１によってタッチ指定することによって、スクロール表示可能となっている。また、同画面中、ジュースとコロッケとにはその左側に丸割印が表示されている。これは、割引商品であることを示している。割引商品であるかどうかは、一例として、ＰＬＵファイルＰＦに割引情報を持たせることで表示可能となる。
【００６６】
最初の基本画面Ｂ（図９の左から第２列第１行目）のガイダンス表示領域Ｂ１に表示されているガイダンス表示に従い、顧客は、バーコードスキャナ２０３の前に商品をかざし、商品に付されたバーコードを読み取らせる。これにより、決済端末２０１の制御部２５３は、前述した検索処理を実行し、ＰＬＵファイルＰＦ及び重量データファイルＷＤＦから必要な情報を取得する。
【００６７】
この際、制御部２５３は、ＬＣＤ２１０に表示されている基本画面Ｂ中、ユーザ領域Ｂ２の明度を落とし、読取確認画面Ｃを生成し、生成した読取確認画面Ｃをユーザ領域Ｂ２に重ねて表示する（図９の左から第３列第１行目）。読取確認画面Ｃは、ＰＬＵファイルＰＦから検索されたバーコードが読み取られた商品の単価、割引金額、購入点数、購入金額という取引情報を含み、ＰＬＵファイルＰＦに記録されている商品表示から引用された当該商品の商品名称のテキストデータに基づく文字と当該商品の画像データに基づく絵柄とを含む。このような読取確認画面Ｃは、例えば、一般的なポップアップ表示技術を用いて表示しても良く、あるいは、基本画面Ｂに読取確認画面Ｃを重ねて表示するような表示フレームを用いる技術を用いても良い。つまり、結果的に、基本画面Ｂに読取確認画面Ｃが重なって表示されていれば良く、そのために採用する表示技術について制約はない。
【００６８】
ここで重要なことは、読取確認画面Ｃは、基本画面Ｂ中のユーザ領域Ｂ２にのみ重ねて表示され、ガイダンス表示領域Ｂ１には重なって表示されない、ということである。これにより、顧客に対して、継続的にガイダンス表示領域Ｂ１でのガイダンス表示を実行することができる。図９に示す例では、バーコードスキャナ２０３によって商品に付されたバーコードが読み取られた場合、ガイダンス表示領域Ｂ１では、「商品のバーコードをガラス面にタッチしてください」という最初の基本画面Ｂ（図９の左から第２列第１行目）でのガイダンスから、「商品をレジ袋またはマイバスケットに入れてください」というガイダンスに表示が遷移している（図９の左から第３列第１行目）。図９には示さないが、制御部２５３は、文字のみならず、ガイダンス表示領域Ｂ１に表示する絵柄も商品をレジ袋又はマイバスケットに入れる作業を支援する絵柄に遷移させる。読取確認画面Ｃをガイダンス表示領域Ｂ１に重ねずに表示することにより、このようなガイダンス表示領域Ｂ１でのガイダンス表示及びその遷移を、顧客に容易く確認させることが可能となる。
【００６９】
図１０は、一時置き台３０６に載置すべき商品についての基本画面Ｂ及び読取確認画面Ｃを例示する模式図である。前述したように、決済端末２０１は、商品載置場所定義を持つ。そこで、最初の基本画面Ｂ（図９の左から第２列第１行目）において、商品載置場所定義として一時置き台３０６が定義されている商品のバーコードがバーコードスキャナ２０３によって読み取られた場合、制御部２５３は、ガイダンス表示領域Ｂ１に「商品を一時置き台に置いてください」という文字をそのための作業を支援する絵柄と共に表示する図１０に例示する画像を生成し、ＬＣＤ２１０に表示する。
【００７０】
図９に基づく説明に戻る。バーコードスキャナ２０３によって商品に付されたバーコードが読み取られた後、制御部２５３は、重量チェック処理に待機している。そのために、商品に付されたバーコードが読み取られた後のガイダンス表示領域Ｂ１には、「商品をレジ袋またはマイバスケットに入れてください」という文字をそのための作業を支援する絵柄と共に示すガイダンスを表示する（図９の左から第３列第１行目）。あるいは、図１０に例示するように、商品載置場所定義として一時置き台３０６が定義されている場合には、ガイダンス表示領域Ｂ１には、「商品を一時置き台に置いてください」という文字をそのための作業を支援する絵柄と共に示すガイダンスを表示する。そこで、これらのガイダンスに従い、顧客は、バーコードスキャナ２０３によってバーコードを読み取らせた商品をレジ袋４０１又はマイバスケットに入れ、あるいは一時置き台３０６に置く。これにより、レジ袋４０１に詰められた商品及び一時置き台３０６に載置された商品は、秤装置３０１の秤皿３０３に荷重をかけることになり、その荷重がロードセルユニット３５１によって計量されることになる。ロードセルユニット３５１による計量結果は、前述したように、送信部３５８を介して決済端末２０１に出力される。決済端末２０１は、ロードセルユニット３５１による計量結果を受信し、重量チェック処理を実行する。前述したように、重量チェック処理は、バーコードの読み取り後に秤装置３０１によって計量されたバーコードが読み取られた商品の重量が、検索処理によって重量データファイルＷＤＦから取得した重量と同一性を有しているかどうかを判定する処理である。同一性を有しているかどうかは、前述したように、秤装置３０１による計量重量に基づいて得られる商品の重量が検索処理によって取得した重量の許容幅（例えば上限値と下限値との間）、つまり重量範囲に収まっているかどうかを判定することによってなされる。
【００７１】
重量チェック処理の結果、両重量間に同一性がないと判定された場合は、何らかの操作ミスか又は不正が行われたことになる。そこで、この場合、制御部２５３は、商品販売データ処理の進行を停止し、表示ポール２１７の先端部に設けられている発光部２１８の発光色を青色から赤色に変更し、何らかの操作ミスか又は不正が行われたことを、例えば案内係（アテンダント）の店員等に向けて報知する。商品販売データ処理の進行を停止する結果、ＬＣＤ２１０の表示画面としては、読取確認画面Ｃが表示されたままの状態となり、顧客には、処理が進行しないことが示される。
【００７２】
（３）重量チェック処理
（一）重量チェック処理の処理内容
図１１は、重量チェック処理に含まれている秤装置３０１からの重量データ受信処理を示すフローチャートである。秤装置３０１は、ロードセルユニット３５１による計量結果を重量データとして決済端末２０１に送信する。そこで、決済端末２０１の制御部２５３は、図９に示す最初の初期ガイダンス画面Ａ（図９の左から第１列第１行目）中での選択ボタンＡ１のタッチパネル２１１によるタッチ指定等によってセルフチェックアウト処理のスタートが指定されると、重量データの受信に待機している（ステップＳ５１）。
【００７３】
前述したように、秤装置３０１から決済端末２０１への重量データの送信は、例えば数μｓｅｃ〜数百μｓｅｃというような短い周期で定期的に実行される。図１１に示すフローチャート中のステップＳ５１の受信処理では、秤装置３０１から決済端末２０１への重量データの送信があれば、いつでも受信ありを判定する。
【００７４】
決済端末２０１の制御部２５３は、重量データの受信を判定すると（ステップＳ５１のＹ）、受信した重量データをＲＡＭ２５４に一時記憶する（ステップＳ５２）。つまり、決済端末２０１の制御部２５３は、例えば数μｓｅｃ〜数百μｓｅｃというような短い周期で定期的に送信されてくる秤装置３０１からの重量データをＲＡＭ２５４に一時記憶する（ステップＳ５２）。
【００７５】
制御部２５３は、重量チェック処理として、図１１中のステップＳ５２でＲＡＭ２５４に一時記憶した重量データによって特定される重量値から、その直前までＲＡＭ２５４に一時記憶していた重量データによって特定される重量値を減じ、増加分の重量値を得る。この際、制御部２５３は、その直前に検索処理（図８中のステップＳ１２）を実行しているはずである。つまり、制御部２５３は、バーコードスキャナ２０３が出力する商品コードに基づいてＰＬＵファイルＰＦ及び重量データファイルＷＤＦ（図６（ａ）、図６（ｂ））を検索し、その商品コードに対応する単価、重量の許容幅（例えば上限値と下限値との間）及び商品表示を取得しているはずである。そこで、制御部２５３は、図１１中のステップＳ５２でＲＡＭ２５４に一時記憶した重量データによって特定される重量値からその直前までＲＡＭ２５４に一時記憶していた重量データによって特定される重量値を減じて得た増加分の重量値が、検索処理（図８中のステップＳ１２）によって取得した重量の許容幅（例えば上限値と下限値との間）、つまり重量範囲に収まっているかどうかを判定する。これにより、重量チェック処理が実行される。
【００７６】
（二）重量チェック処理のスキップ
図１２は、重量チェック対象外商品についての基本画面Ｂ及び読取確認画面Ｃを例示する模式図である。前述したように、決済端末２０１は、重量チェック実行有無定義を持つ。そこで、制御部２５３は、重量チェック実行有無定義を参照し、重量チェックをしないと定義付けられた商品については、図１２に例示するように、読取確認画面Ｃに確定ボタンＸを表示し、重量チェック処理をスキップする。そして、読取確認画面Ｃにおいて、確定ボタンＸがタッチパネル２１１によってタッチ指定された場合、制御部２５３は、商品販売データ処理の進行を許容し、基本画面Ｂ中のユーザ領域Ｂ２の明度を元に戻し、読取確認画面Ｃを消去する。これにより、ＬＣＤ２１０の表示は、基本画面Ｂ（図９の左から第２列第１行目）に復帰する。
【００７７】
このように、重量チェック対象外商品については、重量チェック処理をスキップする。図１２（ａ）に示すように、重量チェック処理をスキップするにも拘らず、商品に付されたバーコードが読み取られた後のガイダンス表示領域Ｂ１には、「商品をレジ袋またはマイバスケットに入れ、確定ボタンを押してください」という文字をそのための作業を支援する絵柄と共に示すガイダンスを表示する。
【００７８】
もっとも、図１０に基づいて説明したように、制御部２５３は、重量データファイルＷＤＦの商品載置場所定義（袋詰めスキップ）に従い、ガイダンス表示領域Ｂ１にバーコード読み取り後の商品の載置場所を表示する。そこで、図１２（ｂ）に例示するように、制御部２５３は、床面を載置場所として商品載置場所定義（袋詰めスキップ）に定義されている商品の場合、ガイダンス表示領域Ｂ１に「商品はレジ袋台の脇に置き、確定ボタンを押してください」という文字をそのための作業を支援する絵柄と共に表示させる。
【００７９】
（三）重量物の扱い
制御部２５３は、重量チェックをしないと定義付けられた商品であって、重量物である商品（重量物フラグ＝「１」）であった場合には、顧客が購入しようとする商品の中に重量物が含まれている旨をＲＡＭ２５４に記憶させる。ＲＡＭ２５４にはデフォルト設定で「０」を記憶する重量物有無フラグエリアが設けられており、制御部２５３は、重量物である商品が含まれている場合には、この重量物有無フラグエリアに「１」を記憶させる。
【００８０】
（４）画面入力による商品情報登録
図９に基づく説明に戻る。前述したように、最初の初期ガイダンス画面Ａ（図９の左から第１列第１行目）には、「バーコードのない商品は次の画面で登録します」という文字が「次の画面」を示す絵柄と共に案内される。これを受けて、制御部２５３は、バーコードのない商品を登録するための画像として、基本画面Ｂ（図９の左から第２列第１行目）中のユーザ領域Ｂ２に、「やさい」、「くだもの」、「そうざい」、「魚介」、「その他」、「詰合せ」の六種類のタッチボタンからなる商品指定ボタンＢ２２を用意する。そこで、顧客は、購入しようとする商品にバーコードが付されていない場合、商品指定ボタンＢ２２をタッチパネル２１１によってタッチ指定することになる。これらのいずれかの商品指定ボタンＢ２２がタッチパネル２１１によってタッチ指定されると、基本画面Ｂ中のユーザ領域Ｂ２の取引情報Ｂ２１が部門選択画面Ｅに切り替え表示される（図９の左から第２列第２行目）。
【００８１】
図９に示す部門選択画面Ｅ（左から第２列第２行目）は、「そうざい」がタッチパネル２１１によってタッチ指定された一例を示している。この場合、部門選択画面Ｅとして、「そうざい」の範疇に含まれる各種の食品が４列４行の合計１６種、スクロールボタンによってスクロール可能に表示される。部門選択画面Ｅには、戻るボタンＥ１も表示され、この戻るボタンＥ１がタッチパネル２１１によってタッチ指定された場合には、部門選択画面Ｅが取引情報Ｂ２１に切り替え表示され、基本画面Ｂ（図９の左から第２列第１行目）の表示に復帰する。
【００８２】
基本画面Ｂ中のユーザ領域Ｂ２の取引情報Ｂ２１が部門選択画面Ｅに切り替え表示された場合（図９の左から第２列第２行目）、制御部２５３は、ガイダンス表示領域Ｂ１に、「お持ちの商品のボタンを押してください」という文字をそのための作業を支援する絵柄と共に表示する。これにより、顧客は、次にどのような操作をすれば良いのかを知ることができる。
【００８３】
そこで、そのガイダンスに従い、顧客が部門選択画面Ｅ（図９の左から第２列第２行目）から一つの食品をタッチパネル２１１によってタッチ指定すると、基本画面Ｂ中のユーザ領域Ｂ２に、その食品についての部門登録画面Ｆ（図９の左から第３列第２行目）が出現する。図９に示す部門登録画面Ｆ（左から第３列第２行目）は、「玉子トウフ」がタッチ指定された一例を示している。この場合、「玉子トウフ」についての部門登録画面Ｆが出現する。部門登録画面Ｆは、商品の単価、割引金額、購入点数、購入金額という取引情報を含み、当該商品の商品名称のテキストデータに基づく文字と当該商品の画像データに基づく絵柄とを含み、更に、テンキーを含む。テンキーは、デフォルト設定が１点である購入点数の変更入力を可能にする。これらの各種データは、一例として、決済端末２０１においてＰＬＵファイルＰＦとは別個に設けられた部門ファイルに記録されている情報から引用される。また、部門登録画面Ｆには、取消しボタンＦ１と決定ボタンＦ２とが含まれている。取消しボタンＦ１がタッチパネル２１１によってタッチ指定された場合、基本画面Ｂのユーザ領域Ｂ２に部門選択画面Ｅが表示された画面（図９の左から第２列第２行目）に復帰する。
【００８４】
基本画面Ｂ中のユーザ領域Ｂ２に部門登録画面Ｆが表示された場合（図９の左から第３列第２行目）、制御部２５３は、ガイダンス表示領域Ｂ１に、「点数を変更するときは数字キーから入力し、「決定」ボタンを押してください」という文字をそのための作業を支援する絵柄と共に表示する。これにより、顧客は、次にどのような操作をすれば良いのかを知ることができる。
【００８５】
そこで、そのガイダンスに従い、部門登録画面Ｆ（図９の左から第３列第２行目）において、必要に応じてテンキーによって購入点数を変更入力した後、決定ボタンＦ２をタッチパネル２１１によってタッチ指定すると、デフォルト又はテンキーによって変更入力された購入点数分だけ、選択した食品、図９に示す例では「玉子トウフ」についての部門登録が完了する。そこで、制御部２５３は、ＬＣＤ２１０に表示されている基本画面Ｂ中、ユーザ領域Ｂ２の明度を落とし、読取確認画面Ｃを生成し、生成した読取確認画面Ｃをユーザ領域Ｂ２に重ねて表示する（図９の左から第４列第２行目）。また、制御部２５３は、基本画面Ｂ中のガイダンス表示領域Ｂ１の表示を、「商品をレジ袋またはマイバスケットに入れてください」というガイダンス表示に遷移させる（図９の左から第４列第２行目）。図９には示さないが、制御部２５３は、文字のみならず、ガイダンス表示領域Ｂ１に表示する絵柄も商品をレジ袋又はマイバスケットに入れる作業を支援する絵柄に遷移させる。読取確認画面Ｃをガイダンス表示領域Ｂ１に重ねずに表示することにより、このようなガイダンス表示領域Ｂ１でのガイダンス表示及びその遷移を、顧客に容易く確認させることが可能となる。
【００８６】
ここで、「やさい」、「くだもの」、「そうざい」、「魚介」、「その他」という五種類の商品指定ボタンＢ２２がタッチパネル２１１によってタッチ指定されて部門登録がなされた場合、つまり、「詰合せ」以外の商品指定ボタンＢ２２がタッチ指定されて部門登録がなされた場合には、基本画面Ｂ中のユーザ領域Ｂ２に読取確認画面Ｃを重ねて表示させた後の処理は、重量チェック処理である。つまり、既に説明したバーコードスキャナ２０３によって商品に付されたバーコードを読み取った場合の処理と共通性を有している。そこで、その後の処理については説明を省略する。
【００８７】
（５）販促内容取得処理
基本画面Ｂ中のユーザ領域Ｂ２（図９の左から第２列第１行目）には、「お会計」と表示された会計ボタンＢ２３が表示されている。この会計ボタンＢ２３のタッチ指定は、締め指定を意味する。そこで、タッチパネル２１１により会計ボタンＢ２３がタッチ指定されると、制御部２５３は、販促内容取得処理を実行し、決済処理を実行する。ここで、販促内容取得処理の実行に際して、その実行の有効性について判定するようにしてもよい。例えば、所定の期間や時間帯のみ販促内容取得処理が実行されたり、期間や時間帯に応じて異なる実施形態の販促内容取得処理が実行されたりしてもよい。
【００８８】
（一）第１の実施形態  商品総重量に基づく販促内容の取得
セルフチェックアウト端末１０１の制御部２５３は、検索処理を実行しているはずである。つまり、制御部２５３は、バーコードスキャナ２０３が出力する商品コードに基づいて重量データファイルＷＤＦを検索し、その商品コードに対応する商品の重量の設定値（設定重量（ｇ）に記憶されている）を取得しているはずである。さらに、セルフチェックアウト端末１０１の制御部２５３は、重量チェック処理を実行しているはずである、つまり、その商品が重量物である場合には、ＲＡＭ２５４の重量物フラグエリアに「１」が記憶されているはずである。
【００８９】
図１３は、第１の実施形態の販促内容取得処理を示すフローチャートである。セルフチェックアウト端末１０１の制御部２５３は、まず、顧客が購入しようとしている商品の中に重量物が含まれているか否かの判定を行う（ステップＳ１０１）。この判定は、ＲＡＭ２５４の重量物有無フラグエリアに「０」が記憶されているか「１」が記憶されているかを判定することにより行われる。制御部２５３は、ＲＡＭ２５４の重量物有無フラグエリア中、「０」は重量物なしと判定し、「１」は重量物ありと判定する。ステップＳ１０１で、重量物なしと判定した場合（ステップＳ１０１のＹ）、制御部２５３は、検索処理の実行により取得した重量の設定値の総計を商品総重量として算出し、ＲＡＭ２５４に一時記憶させる（ステップＳ１０２）。次に、制御部２５３は、図１４に示す販促データファイルを構成する総重量販促ファイルＳＰＦａを検索する。
【００９０】
図１４は、総重量販促ファイルＳＰＦａの一例を示す模式図である。総重量販促ファイルＳＰＦａは、総重量範囲（ｇ）に対応させて、販促内容を記憶している。総重量範囲（ｇ）には、商品総重量の下限設定値と上限設定値とが記憶されている。また、総重量販促ファイルＳＰＦａには、「重量物あり」という項目に対応させて販促内容が記憶されている。販促内容は、顧客に対するサービスポイントの付与である。つまり、販促内容には、カード挿入口２１２に挿入されたポイントカードにカードリーダライタ２５２が所定のサービスポイントを書き込むという処理内容が記憶されている。例えば、販促内容には、「０ポイント付与」、「２ポイント付与」という内容が記憶されている。
【００９１】
図１３のフローチャートの説明に戻る。ステップＳ１０１で重量物なしと判定し（ステップＳ１０１のＹ）、商品総重量を算出したならば（ステップＳ１０２）、制御部２５３は、総重量販促ファイルＳＰＦａを検索して、ステップＳ１０２で算出した商品総重量が含まれる総重量範囲（ｇ）に対応する販促内容を取得し、ＲＡＭ２５４に一時記憶させる（ステップＳ１０３）。
【００９２】
図１３のフローチャートのステップＳ１０１で重量物ありと判定した場合には、（ステップＳ１０１のＮ）、総重量販促ファイルＳＰＦａの「重量物あり」に対応付けて記憶されている販促内容を取得した後（ステップＳ１０４）、商品総重量を算出し（ステップＳ１０２）、算出した商品総重量が含まれる総重量範囲に対応する販促内容を取得し、ＲＡＭ２５４に一時記憶させる（ステップＳ１０３）。このように、商品の総重量とは無関係に重量物が含まれているだけで所定の販促内容が取得されるので、顧客にはボーナス的にサービスポイントの付与等がなされる。
【００９３】
図１３のフローチャートのステップＳ１０２では、秤装置３０１によって計量される商品重量の取得をして商品総重量の算出としても良い。前述したように、秤装置３０１から決済端末２０１への重量データの送信は、例えば数μｓｅｃ〜数百μｓｅｃというような短い周期で定期的に実行されている。また、セルフチェックアウト端末１０１の制御部２５３は、重量データの受信に待機しており、重量データの受信を判定すると、受信した重量データをＲＡＭ２５４に一時記憶する。つまり、決済端末２０１の制御部２５３は、例えば数μｓｅｃ〜数百μｓｅｃというような短い周期で定期的に送信されてくる秤装置３０１からの重量データをＲＡＭ２５４に一時記憶する。ところで、顧客が購入しようとする商品はレジ袋等に入れられて載置台３０３ａに対して荷重をかけている。そこで、セルフチェックアウト端末１０１の制御部２５３は、ステップＳ１０２では、ＲＡＭ２５４に一時記憶した重量データによって特定される重量値を商品総重量として取得し、これをＲＡＭ２５４に一時記憶させる。このようにして、秤装置３０１によって計量される商品重量の取得をして商品総重量の算出とする。
【００９４】
（二）第２の実施形態  手荷物・商品総重量に基づく販促内容の取得
図１５は、第２の実施形態の販促内容取得処理を示すフローチャートである。第２の実施形態についても、まず、セルフチェックアウト端末１０１の制御部２５３は、ＲＡＭ２５４の重量物フラグエリアを参照して、顧客が購入しようとしている商品の中に重量物が含まれているか否かの判定を行う（ステップＳ２０１）。重量物フラグエリアに「０」が記憶されていて、重量物なしと判定した場合には（ステップＳ２０１のＹ）、制御部２５３は、顧客に対して手荷物を載置台３０３ａに載置させることを要求する（ステップＳ２０２）。一例としてステップＳ２０２では、制御部２５３は、図１６に示すような手荷物載置要求画面Ｒを生成し、ＬＣＤ２１０に表示させる。
【００９５】
図１６は、手荷物載置要求画面Ｒを例示する模式図である。手荷物載置要求画面Ｒは、顧客の手荷物が秤装置３０１の載置台３０３ａに置かれる状態を示す絵柄と「手荷物を置いて下さい」という文字とを含む。このように、手荷物載置要求画面Ｒは、顧客のバッグ等の手荷物を計量するために顧客に対してその手荷物を載置台３０３ａに載置させることを要求するものである。つまり、ＬＣＤ２１０は、顧客に対する情報報知機能を有するユーザインターフェースを構成し、ここに、ユーザインターフェースであるＬＣＤ２１０を介して載置部である載置台３０３ａへの手荷物の載置を顧客に対して要求する機能が実現されている。なお、手荷物載置要求画面Ｒには、図示しないキャンセルボタンを含ませてもよい。このキャンセルボタンのタッチ指定により手荷物載置要求画面Ｒは消去して次の処理に移行する。つまり、手荷物を載置しないという選択肢を顧客に対して与えるものである。
【００９６】
図１５のフローチャートの説明に戻る。手荷物載置要求画面Ｒを見た顧客が手荷物を載置台３０３ａに載置させたことにより、セルフチェックアウト端末１０１の制御部２５３は、レジ袋等に収納されている商品、及び、手荷物の重量を取得する（ステップＳ２０３）。ここで、ステップＳ２０３での処理内容について説明する。前述したように、決済端末２０１の制御部２５３は、例えば数μｓｅｃ〜数百μｓｅｃというような短い周期で定期的に送信されてくる秤装置３０１からの重量データをＲＡＭ２５４に一時記憶する。ところで、商品と手荷物とは載置台３０３ａに対して荷重をかけている。そこで、セルフチェックアウト端末１０１の制御部２５３は、ＲＡＭ２５４に一時記憶した重量データによって特定される重量値を手荷物・商品総重量として取得し、これをＲＡＭ２５４に一時記憶させる。なお、商品の重量については、重量データファイルＷＤＦに記憶されていて検索処理の実行により取得する重量の設定値であってもよい。この場合、手荷物の重量のみを秤装置３０１からの重量データに基づき取得する。つまり、手荷物の載置によって計量重量が増加するので、制御部２５３は、ＲＡＭ２５４に一時記憶した重量データによって特定される重量値から、その直前までＲＡＭ２５４に一時記憶していた重量データによって特定される重量値を減じ、増加分の重量値を手荷物重量として取得する。そして、取得した手荷物重量と商品重量の総計とを合算して手荷物・商品総重量を取得する。
【００９７】
図１５のフローチャートのステップＳ２０３で手荷物・商品重量を取得した後、次に制御部２５３は、総重量販促ファイルＳＰＦａ（図１４参照）を検索して、取得した手荷物・商品総重量が含まれる総重量範囲（ｇ）に対応付けて記憶されている販促内容を取得して、ＲＡＭ２５４に一時記憶させる（ステップＳ２０４）。
【００９８】
図１５のフローチャートのステップＳ２０１で重量物ありと判定した場合には、（ステップＳ２０１のＮ）、制御部２５３は、総重量販促ファイルＳＰＦａ（図１４参照）の「重量物あり」に対応付けて記憶されている販促内容を取得してＲＡＭ２５４に一時記憶させた後（ステップＳ２０５）、ステップＳ２０２からＳ２０４までの処理を実行する。
【００９９】
（三）第３の実施形態  商品重量最大値に基づく販促内容の取得
図１７は、第３の実施形態の販促内容取得処理を示すフローチャートである。セルフチェックアウト端末１０１の制御部２５３は、まず、顧客が購入しようとしている商品の中に重量物が含まれているか否かの判定を行う（ステップＳ３０１）。この判定は、ＲＡＭ２５４の重量物有無フラグエリアに「０」が記憶されているか「１」が記憶されているかを判定することにより行われる。制御部２５３は、ＲＡＭ２５４の重量物有無フラグエリア中、「０」は重量物なしと判定し、「１」は重量物ありと判定する。ステップＳ３０１で重量物なしと判定した場合（ステップＳ３０１のＹ）、制御部２５３は、検索処理の実行により取得した重量の設定値から最大の重量（商品重量最大値）を選択する（ステップＳ３０２）。選択した商品重量最大値については改めてＲＡＭ２５４に一時記憶させる。そして、制御部２５３は、図１８に示す販促データファイルを構成する重量最大値販促ファイルＳＰＦｂを検索する。
【０１００】
図１８は、重量最大値販促ファイルＳＰＦｂの一例を示す模式図である。重量最大値販促ファイルＳＰＦｂは、重量最大値範囲（ｇ）に対応させて、販促内容を記憶している。重量最大値範囲（ｇ）には、商品重量最大値の下限設定値と上限設定値とが記憶されている。また、重量最大値販促ファイルＳＰＦｂには、「重量物あり」という項目に対応させて販促内容が記憶されている。
【０１０１】
図１７のフローチャートの説明に戻る。セルフチェックアウト端末１０１の制御部２５３は、重量最大値販促ファイルＳＰＦｂを検索して、ステップＳ３０２で選択した商品重量最大値が含まれる重量最大値範囲（ｇ）に対応する販促内容を取得して、ＲＡＭ２５４に一時記憶させる（ステップＳ３０３）。なお、ステップＳ３０１で重量物ありと判定した場合（ステップＳ３０１のＮ）、制御部２５３は、重量最大値販促ファイルＳＰＦｂ（図１８参照）の「重量物あり」に対応付けて記憶されている販促内容を取得して、ＲＡＭ２５４に一時記憶させる（ステップＳ３０４）。
【０１０２】
（四）第４の実施形態  商品総体積に基づく販促内容の取得
セルフチェックアウト端末１０１の制御部２５３は、検索処理を実行しているはずである。ここで、第４の実施形態では、検索処理において制御部２５３は、バーコードスキャナ２０３が出力する商品コードに基づいて商品データファイルを構成する図１９に示す体積データファイルＶＤＦを検索する。
【０１０３】
図１９は、体積データファイルＶＤＦの一例を示す模式図である。体積データファイルＶＤＦは、商品コードに対応させて、設定体積（ｍｌ）、及び、肥大物フラグを記憶している。設定体積（ｍｌ）には、商品コードで特定される商品の体積の設定値が記憶されている。肥大物フラグは、商品コードで特定される商品が規定の体積を超過した肥大物であるか否かを記憶する。つまり、制御部２５３は、肥大物フラグ中、「０」は非肥大物、「１」は肥大物と解釈する。このような体積データファイルＶＤＦは、別の一例として、ＰＬＵファイルＰＦ、部門ファイルに含ませても良い。第４の実施形態では、制御部２５３は、検索処理において体積データファイルＶＤＦを検索し、バーコードスキャナ２０３が出力する商品コードに対応する商品の体積の設定値（設定体積（ｍｌ）に記憶されている）を取得している。そして、検索処理においてバーコードスキャナ２０３が出力する商品コードに対応する商品に肥大物（肥大物フラグ＝「１」）があった場合には、顧客が購入しようとする商品の中に肥大物が含まれている旨をＲＡＭ２５４に記憶させる。ＲＡＭ２５４にはデフォルト設定で「０」を記憶する肥大物有無フラグエリアが設けられており、制御部２５３は、肥大物である商品が含まれている場合には、この肥大物有無フラグエリアに「１」を記憶させる。そして、このような検索処理、及び、重量チェック処理に続いて、制御部２５３は、第４の実施形態の販促内容取得処理を実行する。
【０１０４】
図２０は、第４の実施形態の販促内容取得処理を示すフローチャートである。セルフチェックアウト端末１０１の制御部２５３は、まず、顧客が購入しようとしている商品の中に肥大物が含まれているか否かの判定を行う（ステップＳ４０１）。この判定は、ＲＡＭ２５４の肥大物有無フラグエリアに「０」が記憶されているか「１」が記憶されているかを判定することにより行われる。制御部２５３は、ＲＡＭ２５４の肥大物有無フラグエリア中、「０」は肥大物なしと判定し、「１」は肥大物ありと判定する。ステップＳ４０１で、肥大物なしと判定した場合（ステップＳ４０１のＹ）、制御部２５３は、検索処理の実行により取得した体積の設定値の総計を商品総体積として算出し、ＲＡＭ２５４に一時記憶させる（ステップＳ４０２）。次に、制御部２５３は、図２１に示す販促データファイルを構成する総体積販促ファイルＳＰＦｃを検索する。
【０１０５】
図２１は、総体積販促ファイルＳＰＦｃの一例を示す模式図である。総体積販促ファイルＳＰＦｃは、総体積範囲（ｍｌ）に対応させて、販促内容を記憶している。総体積範囲（ｍｌ）には、商品総体積の下限設定値と上限設定値とが記憶されている。また、総体積販促ファイルＳＰＦｃには、「肥大物あり」という項目に対応させて販促内容が記憶されている。
【０１０６】
図２０のフローチャートの説明に戻る。ステップＳ４０２で商品総体積を算出した制御部２５３は、総体積販促ファイルＳＰＦｃ（図２１参照）を検索して、算出した商品総体積が含まれる総体積範囲（ｍｌ）に対応する販促内容を取得し、ＲＡＭ２５４に一時記憶させる（ステップＳ４０３）。
【０１０７】
図２０のフローチャートのステップＳ４０１で肥大物ありと判定した場合には、（ステップＳ４０１のＮ）、総体積販促ファイルＳＰＦｃ（図２１参照）の「肥大物あり」に対応付けて記憶されている販促内容を取得した後（ステップＳ４０４）、商品総体積を算出し（ステップＳ４０２）、算出した商品総体積が含まれる総体積範囲に対応する販促内容を取得し、ＲＡＭ２５４に一時記憶させる（ステップＳ４０３）。
【０１０８】
（五）第５の実施形態  商品体積最大値に基づく販促内容の取得
セルフチェックアウト端末１０１の制御部２５３は、第４の実施形態と同様に、検索処理において体積データファイルＶＤＦを検索し、バーコードスキャナ２０３が出力する商品コードに対応する商品の体積の設定値を取得している。ここで、第５の実施形態の検索処理では、肥大物である商品の体積の設定値のみを取得するようにする。つまり、商品コードに基づき体積データファイルＶＤＦを検索して、肥大物フラグに「１」が記憶されている商品の設定体積（ｍｌ）の設定値のみを取得してＲＡＭ２５４に一時記憶させるようにする。
【０１０９】
図２２は、第５の実施形態の販促内容取得処理を示すフローチャートである。制御部２５３は、検索処理の実行により取得した体積の設定値から最大の体積（商品体積最大値）を選択する（ステップＳ５０１）。選択した商品体積最大値については改めてＲＡＭ２５４に一時記憶させる。そして、制御部２５３は、図２３に示す販促データファイルを構成する体積最大値販促ファイルＳＰＦｄを検索する。
【０１１０】
図２３は、体積最大値販促ファイルＳＰＦｄの一例を示す模式図である。体積最大値販促ファイルＳＰＦｄは、体積最大値範囲（ｍｌ）に対応させて、販促内容を記憶している。体積最大値範囲（ｍｌ）には、商品体積最大値の下限設定値と上限設定値とが記憶されている。
【０１１１】
図２２のフローチャートの説明に戻る。セルフチェックアウト端末１０１の制御部２５３は、体積最大値販促ファイルＳＰＦｄを検索して、ステップＳ５０１で選択した商品体積最大値が含まれる体積最大値範囲（ｍｌ）に対応する販促内容を取得して、ＲＡＭ２５４に一時記憶させる（ステップＳ５０２）。
【０１１２】
（六）第６の実施形態  商品全長最大値に基づく販促内容の取得
セルフチェックアウト端末１０１の制御部２５３は、検索処理を実行している。ここで、第６の実施形態では、検索処理において制御部２５３は、バーコードスキャナ２０３が出力する商品コードに基づいて商品データファイルを構成する図２４に示す全長データファイルＬＤＦを検索する。
【０１１３】
図２４は、全長データファイルＬＤＦの一例を示す模式図である。全長データファイルＬＤＦは、商品コードに対応させて、設定全長（ｍｍ）、及び、長大物フラグを記憶している。設定全長（ｍｍ）には、商品コードで特定される商品の全長の設定値が記憶されている。長大物フラグは、商品コードで特定される商品が規定の全長を超過した長大物であるか否かを記憶する。つまり、制御部２５３は、長大物フラグ中、「０」は非長大物、「１」は長大物と解釈する。このような全長データファイルＬＤＦは、別の一例として、ＰＬＵファイルＰＦ、部門ファイルに含ませても良い。第６の実施形態では、制御部２５３は、検索処理において全長データファイルＬＤＦを検索し、バーコードスキャナ２０３が出力する商品コードに対応する商品の全長の設定値（設定全長（ｍｍ）に記憶されている）を取得する。ここで、制御部２５３は、長大物フラグに「１」が記憶されている商品の設定全長（ｍｍ）の設定値のみを取得してＲＡＭ２５４に一時記憶させる。そして、このような検索処理、及び、重量チェック処理に続いて、制御部２５３は、第６の実施形態の販促内容取得処理を実行する。
【０１１４】
図２５は、第６の実施形態の販促内容取得処理を示すフローチャートである。制御部２５３は、検索処理の実行により取得した全長の設定値から最大の全長（商品全長最大値）を選択する（ステップＳ６０１）。選択した商品全長最大値については改めてＲＡＭ２５４に一時記憶させる。そして、制御部２５３は、図２６に示す販促データファイルを構成する全長最大値販促ファイルＳＰＦｅを検索する。
【０１１５】
図２６は、全長最大値販促ファイルＳＰＦｅの一例を示す模式図である。全長最大値販促ファイルＳＰＦｅは、全長最大値範囲（ｍｍ）に対応させて、販促内容を記憶している。全長最大値範囲（ｍｍ）には、商品全長最大値の下限設定値と上限設定値とが記憶されている。
【０１１６】
図２５のフローチャートの説明に戻る。セルフチェックアウト端末１０１の制御部２５３は、全長最大値販促ファイルＳＰＦｅ（図２６）を検索して、ステップＳ６０１で選択した商品全長最大値が含まれる全長最大値範囲（ｍｍ）に対応する販促内容を取得して、ＲＡＭ２５４に一時記憶させる（ステップＳ６０２）。
【０１１７】
（６）決済
図９に基づく説明に戻る。制御部２５３は、販促内容取得処理を実行した後、決済金額を算出して、現金を利用した決済処理を実行する。ここで、制御部２５３は、会計画面Ｊを生成し、ユーザ領域Ｂ２に表示する（図９の左から第２列第３行目）。会計画面Ｊは、合計金額の表示と、最初の基本画面Ｂ（図９の左から第２列第１行目）に戻るための「明細画面に戻る」と表示された戻るボタンＪ６とを含んでいる。さらに、会計画面Ｊは、カード挿入口２１２へのポイントカードの挿入を要求する挿入要求と、販促内容取得処理の実行によって取得された販促内容に基づいて付与するサービスポイントを表示するポイント表示とを含んでいる。一例として、挿入要求は「ポイントカードを挿入してください」という文字列であり、今回ポイント表示は「今回は１ポイントです」という文字列である。挿入要求は、カード挿入口２１２にポイントカードが挿入される状態を示す絵柄をさらに含んでいても良い。ポイントカードがカード挿入口２１２に挿入されてカードリーダライタ２５２がポイントカードを認識すると、制御部２５３は、支払画面Ｓ（図２７参照）を生成して、ユーザ領域Ｂ２に表示する。
【０１１８】
図２７は、支払画面Ｓを例示する模式図である。支払画面Ｓは、合計金額の表示の他、現金の投入を要求する現金投入要求と、ポイントカードに現在記憶されている累積ポイント数を表示する累積ポイント表示と、今回付与するポイント数を表示する今回ポイント表示と、ポイント使用ボタンＳ１と、ポイント不使用ボタンＳ２とを含んでいる。ポイント使用ボタンＳ１のタッチ指定によって、制御部２５３は、合計金額から累積ポイントに相当する金額（１ポイント＝１円）を減額する処理を実行し、カードリーダライタ２５２を駆動制御して、ポイントカードから使用した累積ポイントを消去させ、今回のポイントを付与させる。一方、ポイント不使用ボタンＳ２のタッチ指定によって、制御部２５３は、カードリーダライタ２５２を駆動制御して、今回のポイントを付与させる。これにより累積ポイントに今回のポイント数が上乗せされることになる。このようにして、決済処理において、販促内容取得処理の実行によって取得された販促内容に基づく販促処理が実行される。その後、カードリーダライタ２５２によるポイントカードの排出等が実行されて商品販売データ処理が終了する。なお、支払画面Ｓは、今回ポイント表示の下位置に、「今回ポイントのうちの＜１ポイント＞は、重量物のご購入によって発生したものです。」という文字列を含んでいる。これにより、顧客は、商品購入によって発生したポイントの内訳を知ることができる。つまり、ポイントは商品の合計金額によっても発生するものであるため、発生ポイントの内、何ポイントが重量物等の購入により発生したものであるのかを知ることができる。
【０１１９】
なお、以上図面に基づいて説明した実施の形態では顧客が自ら操作を行うセルフチェックアウト端末１０１に適用した例を示したが、店舗の店員であるキャッシャが操作を行うＰＯＳ端末に適用したものであってもよい。
【０１２０】
ただし、ＰＯＳ端末とセルフチェックアウト端末１０１とでは相違点があるため（例えば、ＰＯＳ端末は秤装置３０１を備えない点、ＰＯＳ端末は重量チェック処理を実行しない点等）、ＰＯＳ端末への適用例では実施形態がセルフチェックアウト端末１０１への適用例と異なる点がある。以下、ＰＯＳ端末への適用例について説明する。
【０１２１】
ＰＯＳ端末に適用する場合、上記（５）販促内容取得処理については、
（一）商品総重量に基づく販促内容の取得
（三）商品重量最大値に基づく販促内容の取得
（四）商品総体積に基づく販促内容の取得
（五）商品体積最大値に基づく販促内容の取得
（六）商品全長最大値に基づく販促内容の取得
を実行する。ここで、ＰＯＳ端末は、秤装置３０１によって手荷物を計量することができないため、「（二）手荷物・商品総重量に基づく販促内容の取得」については実行しない。また、「（一）商品総重量に基づく販促内容の取得」では、ＰＯＳ端末は秤装置３０１を備えないので、秤装置３０１によって計量される商品重量の取得をして商品総重量の算出とする態様を採用することはできない。
【０１２２】
ＰＯＳ端末への適用例で（一）、（三）についての販促内容の取得をする場合、重量チェック処理は不要であるため、図６（ｂ）に示すような、重量チェック実行有無定義、商品載置場所定義（袋詰めスキップ）、許容値タイプ定義、上限許容値、下限許容値、及び重量更新フラグを記憶する重量データファイルＷＤＦを設ける必要はなく、商品コードに対応させて、設定重量（ｇ）、及び、重量物フラグのみを記憶する重量データファイルを設ければ良い。なお、このような重量データファイルは、ＰＬＵファイルＰＦ等に含ませても良い。ところで、（一）、（三）の場合、ＰＯＳ端末では重量チェック処理を実行しないといっても、（３）（三）に記載された「重量物の扱い」で行われる処理と同様の処理は実行される。つまり、重量物である商品（重量物フラグ＝「１」）であった場合には、顧客が購入しようとする商品の中に重量物が含まれている旨をＲＡＭ２５４に記憶させる。そして、（一）、（三）の場合、その他の処理内容については、セルフチェックアウト端末１０１の実施形態で説明した処理と同様の処理が実行される。また、（四）、（五）、（六）の場合については、セルフチェックアウト端末１０１の実施形態で説明した処理と同様の処理が実行される。
【０１２３】
こうして、通常のＰＯＳ端末でも、商品単価の合計金額を基準としない新たな販促を実現することができる。
【図面の簡単な説明】
【０１２４】
【図１】全体のシステム構成を示す模式図である。
【図２】セルフチェックアウトシステムでの各部の配置状態を示す平面図である。
【図３】セルフチェックアウト端末を示す斜視図である。
【図４】保持アームにレジ袋が保持されている状態を示す斜視図である。
【図５】決済端末の電気的なハードウェア構成を示すブロック図である。
【図６】（ａ）は、ＰＬＵファイルの一例を示す模式図であり、（ｂ）は、重量データファイルの一例を示す模式図である。
【図７】秤装置の電気的なハードウェア構成を示す模式図である。
【図８】セルフチェックアウト処理を示すフローチャートである。
【図９】セルフチェックアウト処理実行時の画面遷移例を示す模式図である。
【図１０】一時置き台に載置すべき商品についての基本画面及び読取確認画面を例示する模式図である。
【図１１】重量チェック処理に含まれている秤装置からの重量データ受信処理を示すフローチャートである。
【図１２】重量チェック対象外商品についての基本画面及び読取確認画面を例示する模式図である。
【図１３】第１の実施形態の販促内容取得処理を示すフローチャートである。
【図１４】総重量販促ファイルの一例を示す模式図である。
【図１５】第２の実施形態の販促内容取得処理を示すフローチャートである。
【図１６】手荷物載置要求画面を例示する模式図である。
【図１７】第３の実施形態の販促内容取得処理を示すフローチャートである。
【図１８】重量最大値販促ファイルの一例を示す模式図である。
【図１９】体積データファイルの一例を示す模式図である。
【図２０】第４の実施形態の販促内容取得処理を示すフローチャートである。
【図２１】総体積販促ファイルの一例を示す模式図である。
【図２２】第５の実施形態の販促内容取得処理を示すフローチャートである。
【図２３】体積最大値販促ファイルの一例を示す模式図である。
【図２４】全長データファイルの一例を示す模式図である。
【図２５】第６の実施形態の販促内容取得処理を示すフローチャートである。
【図２６】全長最大値販促ファイルの一例を示す模式図である。
【図２７】支払画面を例示する模式図である。
【符号の説明】
【０１２５】
１０１…セルフチェックアウト端末（商品販売データ処理装置）、２１０…ＬＣＤ（ユーザインターフェース）、２０３…バーコードスキャナ（商品コード入力部）、２５３…制御部（情報処理部）、３０１…秤装置、ＬＤＦ…全長データファイル（商品データファイル）、ＰＦ…ＰＬＵファイル（商品データファイル）、ＳＰＦａ…総重量販促ファイル（販促データファイル）、ＳＰＦｂ…重量最大値販促ファイル（販促データファイル）、ＳＰＦｃ…総体積販促ファイル（販促データファイル）、ＳＰＦｄ…体積最大値販促ファイル（販促データファイル）、ＳＰＦｅ…全長最大値販促ファイル（販促データファイル）、ＶＤＦ…体積データファイル（商品データファイル）、ＷＤＦ…重量データファイル（商品データファイル）
【図１】
0004937088.tif 000002
【図２】
0004937088.tif 000003
【図３】
0004937088.tif 000004
【図４】
0004937088.tif 000005
【図５】
0004937088.tif 000006
【図６】
0004937088.tif 000007
【図７】
0004937088.tif 000008
【図８】
0004937088.tif 000009
【図９】
0004937088.tif 000010
【図１０】
0004937088.tif 000011
【図１１】
0004937088.tif 000012
【図１２】
0004937088.tif 000013
【図１３】
0004937088.tif 000014
【図１４】
0004937088.tif 000015
【図１５】
0004937088.tif 000016
【図１６】
0004937088.tif 000017
【図１７】
0004937088.tif 000018
【図１８】
0004937088.tif 000019
【図１９】
0004937088.tif 000020
【図２０】
0004937088.tif 000021
【図２１】
0004937088.tif 000022
【図２２】
0004937088.tif 000023
【図２３】
0004937088.tif 000024
【図２４】
0004937088.tif 000025
【図２５】
0004937088.tif 000026
【図２６】
0004937088.tif 000027
【図２７】
0004937088.tif 000028